(57)【要約】【課題】薄型・小型携帯端末において実装ばらつきを低減できるサイドキーボタン実装構造及びこれを備えた携帯端末を提供する。【解決手段】筐体側面に筐体に形成された開口部から露出させたサイドキーボタン１を押下することにより、筐体内部に設置されたスイッチ３を作動させるサイドキーボタン実装構造であって、サイドキーボタン１は、キートップ部とは反対側に、両脇に張り出す基部１ａを備えており、筐体には、サイドキーボタン１の押し込みを規制するリブ５が形成されており、リブ５は、サイドキーボタン１が押下された際に基部１ａと当接する部分が撓むことにより、リブ５と基部１ａとが当接した後もサイドキーボタン１を所定量押し込み可能である。【選択図】図４
2010098674.tif 000002
【特許請求の範囲】
【請求項１】
筐体側面に筐体に形成された開口部から露出させたサイドキーボタンを押下することにより、筐体内部に設置された押圧スイッチを作動させるサイドキーボタン実装構造であって、
前記サイドキーボタンは、キートップ部とは反対側に、両脇に張り出す基部を備えており、
前記筐体には、前記サイドキーボタンの押し込みを規制するリブが形成されており、
前記リブは、前記サイドキーボタンが押下された際に前記基部と当接する部分が撓むことにより、前記リブと前記基部とが当接した後も前記サイドキーボタンを所定量押し込み可能であることを特徴とするサイドキーボタン実装構造。
【請求項２】
前記サイドキーボタンは、前記リブと前記筐体の外壁との隙間に前記基部が配置された状態で支持されることを特徴とする請求項１記載のサイドキーボタン実装構造。
【請求項３】
前記サイドキーボタンは、他のサイドキーボタンと前記基部を共有することを特徴とする請求項１又は２記載のサイドキーボタン実装構造。
【請求項４】
前記基部は、前記リブの先端よりも突き出た状態で前記リブと当接することを特徴とする請求項１から３のいずれか１項記載のサイドキーボタン実装構造。
【請求項５】
前記リブは、前記基部と当接する範囲の両端部が、中央部よりも高く形成されていることを特徴とする請求項１から４のいずれか１項記載のサイドキーボタン実装構造。
【請求項６】
請求項１から５のいずれか１項記載のサイドキーボタン実装構造を備えた携帯端末。
【発明の詳細な説明】
【技術分野】
【０００１】
本発明は、薄型・小型携帯端末において実装ばらつきを低減できるサイドキーボタン実装構造に関する。
【背景技術】
【０００２】
携帯端末においては、端末の前面に設置できるボタンの数に限りがある。
【０００３】
また、折り畳み型の携帯端末では、折り畳み状態において操作部が内側に隠れてしまう。
【０００４】
このため、筐体の側面にサイドキーボタンを設置することにより、多機能化に対応したり、折り畳み状態においても操作ができるようにしている。
【０００５】
携帯端末の側面にボタンを設置することに関連する発明として、特許文献１に開示される「電子機器等のボタン取付け構造」がある。特許文献１に開示される発明は、窓を有した筐体壁との間にボタン部材の一部を支持する空所を形成するリブを設けることにより、冶具を用いたカシメや両面テープによる接着を必要とせずにボタン部材を配置するものである。
【特許文献１】特開平６−３４９３７５号公報
【発明の開示】
【発明が解決しようとする課題】
【０００６】
サイドキーボタンの組立ばらつきや基板上のスイッチの搭載ばらつきなどを考慮すると、サイドキーボタンのストローク（サイドキーボタンが筐体のリブに干渉するまでの距離）を十分に確保する必要がある。
【０００７】
サイドキーボタンを筐体に位置決め、実装するためにリブ５が設置されているが、これは、サイドキーボタン１の位置決めのみではなく、落下衝撃や外部からの押下に対してサイドキーボタン１からの衝撃がダイレクトにスイッチ３に伝わることを防止するための部材であり、これを省略した構成とすることは困難である。
【０００８】
すなわち、サイドキーボタンの小型化を実施し、サイドキーボタン１を押下する際にリブ５にサイドキーボタン１が干渉することによって、キーボタン１の操作性が阻害されてしまう。
【０００９】
特許文献１に開示される発明は、ボタン部材が片持ち状態で支持される構造であり、ボタンが強く押下されると筐体内に押し込まれてしまう可能性がある。よって、落下衝撃などでボタンに強い力がかかる可能性のある携帯端末に採用するのに適しているとは言い難い。
【００１０】
このように、携帯端末の薄型化、小型化を実現しつつ、サイドキーボタンの操作性を確保することが困難であった。
【００１１】
本発明は係る問題に鑑みてなされたものであり、薄型・小型携帯端末において実装ばらつきを低減できるサイドキーボタン実装構造及びこれを備えた携帯端末を提供することを目的とする。
【課題を解決するための手段】
【００１２】
上記目的を達成するため、本発明は、第１の態様として、筐体側面に筐体に形成された開口部から露出させたサイドキーボタンを押下することにより、筐体内部に設置された押圧スイッチを作動させるサイドキーボタン実装構造であって、サイドキーボタンは、キートップ部とは反対側に、両脇に張り出す基部を備えており、筐体には、サイドキーボタンの押し込みを規制するリブが形成されており、リブは、サイドキーボタンが押下された際に基部と当接する部分が撓むことにより、リブと基部とが当接した後もサイドキーボタンを所定量押し込み可能であることを特徴とするサイドキーボタン実装構造を提供するものである。
【００１３】
また、上記目的を達成するため、本発明は、第２の態様として、上記本発明の第１の態様に係るサイドキーボタン実装構造を備えた携帯端末を提供するものである。
【発明の効果】
【００１４】
本発明によれば、薄型・小型携帯端末において実装ばらつきを低減できるサイドキーボタン実装構造及びこれを備えた携帯端末を提供できる。
【発明を実施するための最良の形態】
【００１５】
〔第１の実施形態〕
本発明を好適に実施した第１の実施形態について説明する。
図１に、本実施形態に係るサイドキーボタン実装構造を適用した携帯端末の構成を示す。また、図２に、本実施形態に係るサイドキーボタン実装構造を適用した携帯端末の横断面を示す。図３にサイドキーボタン実装構造の断面図を示す。図４に、本実施形態に係るサイドキーボタン実装構造を適用した携帯端末の分解斜視図を示す。本実施形態に係るサイドキーボタン実装構造が適用される携帯端末は、例えば携帯電話網を介して通信する機能を備えた携帯電話端末である。
【００１６】
図４に示すように、サイドキーボタン１は、基部１ａを共有して三つが連なっており、各々は同様の実装構造を有している。サイドキーボタン１の基部１ａはリブ５と筐体壁との隙間に配置された状態で設置されており、リブ５の切れ目でスイッチ３と所定の間隔を空けて対峙している。サイドキーボタン１のキートップ部は、筐体外に露出しており、これを押下することでスイッチ３が作動する構造である。
【００１７】
サイドキーボタン１が押し込まれた際に、リブ５の切れ目の両脇でサイドキーボタン１の基部１ａがリブ５に当接する。このため、サイドキーボタン１が強く押下された場合でも、ボタンが筐体内に押し込まれてしまうことはない。
【００１８】
また、リブ５は、薄くして撓みやすく形成されており、柔軟性が付与されている。
【００１９】
図５に示すように、リブ５とサイドキーボタン１とが干渉すると、矢印方向にリブ５が撓み、さらにサイドキーボタン１を押し込むことができる。
これにより。装置の小型化とサイドキーボタン１の操作性の確保とを両立できる。
【００２０】
〔第２の実施形態〕
本発明を好適に実施した第２の実施形態について説明する。
図６に示すように、本実施形態においては、位置決め、外部からの押下を配慮して、リブ５は、サイドキーボタン１の基部１ａと当接する範囲の両端部が、中央部よりも高く形成されている。
【００２１】
このように、サイドキーボタンのストロークに影響を及ぼすリブの形状を見直すことによっても第１の実施形態と同様の効果が得られる。
【００２２】
なお、図７に示すように、柔軟性を持たせるためにリブ５を極端に薄くすると、成型時に樹脂が行き渡らなくなって巣が形成され、所望の部品形状に成型されない可能性があるが、リブを薄くすることと併せて高さも低くすることで、成型時に巣が発生しにくくなる。
【００２３】
なお、上記各実施形態は本発明の好適な実施の一例であり、本発明はこれらに限定されることなく様々な変形が可能である。
【図面の簡単な説明】
【００２４】
【図１】本発明を好適に実施した第１の実施形態に係るサイドキーボタン実装構造を適用した携帯端末の構成を示す図である。
【図２】第１の実施形態に係るサイドキーボタン実装構造を適用した携帯端末の横断面図である。
【図３】第１の実施形態に係るサイドキーボタン実装構造の断面図である。
【図４】第１の実施形態に係るサイドキーボタン実装構造を適用した携帯端末の斜視図である。
【図５】第１の実施形態に係るサイドキーボタン実装構造のサイドキーボタン押下時の断面図である。
【図６】本発明を好適に実施した第２の実施形態に係るサイドキーボタン実装構造の断面図である。
【図７】第２の実施形態にかかるサイドキーボタン実装構造の別の構成の断面図である。
【符号の説明】
【００２５】
１    サイドキーボタン
１ａ    基部
２    基板
３    スイッチ
４    ストローク
５    リブ
【図１】
2010098674.tif 000003
【図２】
2010098674.tif 000004
【図３】
2010098674.tif 000005
【図４】
2010098674.tif 000006
【図５】
2010098674.tif 000007
【図６】
2010098674.tif 000008
【図７】
2010098674.tif 000009